(57)【要約】【課題】閃光装置の傾斜が大きくなる。【解決手段】撮像装置は、筐体と、前記筐体に収容された収容位置と、前記筐体の上面から突出した閃光位置との間で移動可能な閃光部と、前記筐体に対して固定され、前記筐体の底面近傍まで延伸したガイド軸と、前記閃光部とともに移動し、前記ガイド軸の延伸方向と平行な軸孔が形成され、前記ガイド軸が前記軸孔に嵌合された嵌合部とを備え、前記嵌合部の上面と下面との間の距離は、前記閃光部の移動量よりも大きい。【選択図】図７
2012185421.tif 000002
【特許請求の範囲】
【請求項１】
筐体と、
前記筐体に収容された収容位置と、前記筐体の上面から突出した閃光位置との間で移動可能な閃光部と、
前記筐体に対して固定され、前記筐体の底面近傍まで延伸したガイド軸と、
前記閃光部とともに移動し、前記ガイド軸の延伸方向と平行な軸孔が形成され、前記ガイド軸が前記軸孔に嵌合された嵌合部と
を備え、
前記嵌合部の上面と下面との間の距離は、前記閃光部の移動量よりも大きい撮像装置。
【請求項２】
前記閃光部は、背面を覆う背面カバーを更に備え、
前記ガイド軸の上端は、前記背面カバーの下端よりも下方に配置されている
請求項１に記載の撮像装置。
【請求項３】
前記閃光部の外側に配置され、前記閃光部に電力を供給する電源を
更に備える請求項１または２に記載の撮像装置。
【請求項４】
前記ガイド軸を挟み、前記電源と反対側に配置されたレンズ鏡筒を
更に備える請求項３に記載の撮像装置。
【請求項５】
前記ガイド軸の延伸方向に沿って前記閃光部を移動させる駆動力を供給するモータを有する駆動部を
更に備える請求項１から４のいずれか１項に記載の撮像装置。
【請求項６】
前記モータの駆動力を前記閃光部に伝達する駆動力伝達部を更に備え、
前記駆動力伝達部は、駆動力の伝達経路の途中に設けられ、駆動力を吸収する吸収部材を更に有する
請求項５に記載の撮像装置。
【請求項７】
前記閃光部は、前記駆動部からの駆動力が伝達されるラック部であって、前記ガイド軸の延伸方向と平行な前記ラック部を有する
請求項６に記載の撮像装置。
【請求項８】
前記嵌合部の延伸方向の移動を規制する規制部材を
更に備える請求項１から７のいずれか１項に記載の撮像装置。
【請求項９】
前記ガイド軸の下端は、前記筐体の底面に当接している
請求項１から８のいずれか１項に記載の撮像装置。
【請求項１０】
前記ガイド軸の延伸方向と交差する方向の前記閃光部の揺動を規制する揺動規制機構を
更に備える請求項１から９のいずれか１項に記載の撮像装置。
【請求項１１】
前記揺動規制機構は、規制ボスと、前記規制ボスが嵌合され、前記ガイド軸の延伸方向に延びる揺動規制溝が形成された揺動規制部とを
有する請求項１０に記載の撮像装置。
【発明の詳細な説明】
【技術分野】
【０００１】
本発明は、撮像装置に関する。
【背景技術】
【０００２】
ガイド軸によってガイドされつつ、摺動可能な閃光装置を備える撮像装置が知られている（例えば、特許文献１参照）。
［先行技術文献］
［特許文献］
［特許文献１］  特開２００９−８６２２６号公報
【発明の概要】
【発明が解決しようとする課題】
【０００３】
しかしながら、閃光装置の傾斜が大きくなるという課題がある。
【課題を解決するための手段】
【０００４】
上記課題を解決するために、本発明の第１の態様は、筐体と、前記筐体に収容された収容位置と、前記筐体の上面から突出した閃光位置との間で移動可能な閃光部と、前記筐体に対して固定され、前記筐体の底面近傍まで延伸したガイド軸と、前記閃光部とともに移動し、前記ガイド軸の延伸方向と平行な軸孔が形成され、前記ガイド軸が前記軸孔に嵌合された嵌合部とを備え、前記嵌合部の上面と下面との間の距離は、前記閃光部の移動量よりも大きい撮像装置である。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】実施形態による撮像装置の正面図である。
【図２】閃光装置の一部を示す撮像装置の正面図である。
【図３】斜め前方から見た閃光装置の斜視図である。
【図４】斜め前方から見た閃光装置の分解斜視図である。
【図５】斜め後方から見た閃光装置の斜視図である。
【図６】斜め後方から見た閃光装置の分解斜視図である。
【図７】閃光装置の左側面図である。
【図８】閃光装置の上部の左側面の拡大図である。
【図９】閃光位置での閃光装置の上部の左側面図である。
【図１０】閃光装置の上面図である。
【図１１】収容位置での閃光装置の側面図である。
【図１２】閃光位置での閃光装置の側面図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、実施形態による撮像装置の正面図である。図１の矢印で示すように、紙面の裏側に位置するユーザから見て左右上下を、撮像装置の左右上下方向とする。また、ユーザから見て前後を、撮像装置の前後方向とする。図１に示すように、撮像装置１０は、筐体１２と、レンズ部１４と、操作部１６と、閃光装置１８とを備える。
【０００９】
筐体１２は、略直方体状に形成されている。筐体１２は、中空状に形成されている。筐体１２は、内部または外面によって、レンズ部１４と、操作部１６と、閃光装置１８とを収容または保持する。
【００１０】
レンズ部１４は、筐体１２の前面の中央部に設けられたレンズ鏡筒１７を有する。レンズ鏡筒１７は、複数のレンズを有する。レンズ鏡筒１７は、前後方向に伸縮して、被写体像を拡大または縮小させる。
【００１１】
操作部１６は、ユーザが操作するためのレリーズボタン等のボタン、設定ダイヤル等のダイヤルを含む。ユーザは、これらのボタンまたはダイヤルによって、撮像指示等を入力する。
【００１２】
閃光装置１８は、筐体１２の左部に収容されている。図１に一点鎖線で示すように、閃光装置１８の一部が筐体１２の上面から突出するように、閃光装置１８は筐体１２に保持されている。
【００１３】
図２は、閃光装置の一部を示す撮像装置の正面図である。図３は、斜め前方から見た閃光装置の斜視図である。図４は、斜め前方から見た閃光装置の分解斜視図である。図５は、斜め後方から見た閃光装置の斜視図である。図６は、斜め後方から見た閃光装置の分解斜視図である。図７は、閃光装置の左側面図である。図８は、閃光装置の上部の左側面の拡大図である。図９は、閃光位置での閃光装置の上部の左側面図である。図１０は、閃光装置の上面図である。
【００１４】
図２〜図１０に示すように、閃光装置１８は、主筐体２０と、後部筐体２２と、閃光部２４と、ガイド軸２６と、駆動部２８と、電力供給部３０と、位置検出部３２とを備える。
【００１５】
主筐体２０は、閃光部２４と、ガイド軸２６と、駆動部２８と、電力供給部３０と、位置検出部３２とを保持する。主筐体２０は、筐体１２の左部に固定されている。主筐体２０の底面は、筐体１２の底面と接するように配置されている。主筐体２０の前部の底面には、ガイド軸２６が挿入される下軸穴３６が形成されている。下軸穴３６は、上下方向に主筐体２０の底面を貫通している。主筐体２０の前部の上下方向の中央部であって、下軸穴３６の上方には、軸支持部３８が形成されている。軸支持部３８には、ガイド軸２６の上端部が挿入される上軸穴４０が形成されている。軸支持部３８の上面は塞がれている。これにより、軸支持部３８は、ガイド軸２６の上方への移動を規制する。また、軸支持部３８は、閃光部２４に当接して、閃光部２４の上方への移動を規制する規制部材としての機能を有する。主筐体２０の前部の左下部には、電力供給部３０を収容する電源収容部４２が形成されている。主筐体２０の前部の左側面には、ガイド軸２６の延伸方向である上下方向に延びる揺動規制溝４４が形成されている。尚、主筐体２０は、揺動規制部の一例である。図６に示すように、主筐体２０の後部の左上部には、前後方向に延びる固定ネジ穴４７が形成されている。主筐体２０の後部の固定ネジ穴４７の近傍には、ギヤ軸４８が形成されている。ギヤ軸４８は、前後方向に延びる。ギヤ軸４８は、後方の直径が小さい、テーパー状に形成されている。主筐体２０の後部の中央の上部には、前後方向に延びる中軸受孔５０が形成されている。主筐体２０の後部の右側面には、後述するモータ９２を保持するモータ保持部５２が設けられている。図８に示すように、主筐体２０の後部の中央の上部には、左軸受孔４６が形成されている。
【００１６】
後部筐体２２は、固定ネジ穴４７に螺合された固定ネジ４９によって主筐体２０に固定されて、主筐体２０の上後部を覆う。これにより、後部筐体２２は、主筐体２０とともに、駆動部２８を収容して保持する。図８に示すように、後部筐体２２には、上軸受凹部５６と、中軸受凹部５８と、下軸受凹部６０とが形成されている。上軸受凹部５６は、主筐体２０のギヤ軸４８の後方に配置されている。上軸受凹部５６は、ギヤ軸４８の後端を保持する。中軸受凹部５８は、中軸受孔５０の後方に形成されている。下軸受凹部６０は、左軸受孔４６の後方に形成されている。
【００１７】
閃光部２４は、上下方向に移動可能に主筐体２０の前部に収容される。閃光部２４は、筐体１２に収容される収容位置と、筐体１２の上面から突出した閃光位置との間で移動する。収容位置とは、図８に実線で示す位置であって、閃光部２４が筐体１２の内部に収容されている状態での閃光部２４の位置である。閃光位置とは、図８に一点鎖線で示す位置であって、閃光部２４が筐体１２の上方に配置されている状態での閃光部２４の位置である。閃光部２４は、閃光用筐体６２と、発光部６４と、背面カバー６６と、蓋部材６８とを備える。
【００１８】
閃光用筐体６２は、閃光装置１８の最も前方に配置される。閃光用筐体６２は、発光部６４を収容して、発光部６４とともに移動する。閃光用筐体６２は、台形部７０と、脚部７２とを有する。
【００１９】
台形部７０は、正面視において、一方の側面が傾斜及び曲面状である略台形状に形成されている。台形部７０の前面は、平面状に形成されている。台形部７０の前面部には、閃光を照射するための開口部７１が長方形状に形成されている。台形部７０の側面及び上下面は、前面と一体化された板状部材によって囲まれている。台形部７０の側面及び上下面に囲まれた領域は、発光部６４を収容することを目的として、中空状に形成されている。台形部７０の後面は、開口されている。台形部７０の左側面の下部には、揺動規制溝４４に嵌合される突状の規制ボス７４が形成されている。揺動規制溝４４が形成される主筐体２０及び規制ボス７４が、揺動規制機構の一例である。規制ボス７４が揺動規制溝４４を摺動することにより、ガイド軸２６の延伸方向と交差する前後方向の閃光部２４の揺動が規制される。台形部７０の後面の下部には、被検出突起７６が形成されている。被検出突起７６は、後方に延びるように形成されている。
【００２０】
脚部７２は、台形部７０と一体に形成されている。脚部７２は、台形部７０の底部の略中央部から伸びるように設けられている。脚部７２は、上下方向に延びる直方体形状に形成されている。脚部７２は、後面が開口された中空状に形成されている。台形部７０の左側面の外側の上部には、ラック部７８が形成されている。ラック部７８は、上下方向に沿って形成されている。これにより、ラック部７８は、ガイド軸２６の延伸方向と平行になる。ラック部７８には、駆動部２８から回転駆動力が伝達される。ラック部７８は、この回転駆動力を上下方向の駆動力へと変換する。
【００２１】
脚部７２は、一対の下嵌合部８０及び上嵌合部８２を有する。一対の下嵌合部８０及び上嵌合部８２は、脚部７２の両側面及び前面と一体に形成されている。これにより、一対の下嵌合部８０及び上嵌合部８２は、閃光部２４とともに移動する。下嵌合部８０は、板状であって、脚部７２の底面を塞ぐように設けられている。平面視における下嵌合部８０の中央部には、ガイド軸２６が嵌合される底軸孔８４が形成されている。底軸孔８４は、上下方向に下嵌合部８０を貫通している。これにより、底軸孔８４は、ガイド軸２６の延伸方向と平行になる。上嵌合部８２は、板状であって、脚部７２の高さ方向の中央部に設けられている。平面視における上嵌合部８２の中央部には、ガイド軸２６が嵌合される上軸孔８６が形成されている。上軸孔８６は、上下方向に延びる。これにより、上軸孔８６は、ガイド軸２６の延伸方向と平行になる。底軸孔８４及び上軸孔８６は、軸孔の一例である。下嵌合部８０の下面と上嵌合部８２の上面との間の距離Ｌは、閃光部２４の移動量ＭＡよりも大きい。閃光部２４の移動量とは、図８に実線で示す閃光部２４の収容位置から図８に一点鎖線で示す閃光部２４の閃光位置までの距離である。換言すると、閃光部２４の移動量とは、収容位置における上嵌合部８２の上面と軸支持部３８の下面との間の距離でもある。これは、図７に示す収容位置から、閃光部２４が上方へ移動して、上嵌合部８２の延伸方向の移動を規制する軸支持部３８の下面に上嵌合部８２の上面が当接した位置が閃光位置のためである。
【００２２】
発光部６４は、電力供給部３０から供給される電力によって、閃光を出力する。発光部６４は、正面視において、閃光用筐体６２の台形部７０の中空部よりも小さい。これにより、発光部６４は、台形部７０に嵌め込まれて、収容される。発光部６４の前面には、光を透過可能な透過部８８が設けられている。透過部８８は、台形部７０の開口部７１と略同形状に形成されている。透過部８８は、開口部７１に嵌め込まれる。そして、発光部６４は、透過部８８を透過させて閃光を外部へと照射する。発光部６４の下部からは、電力供給用のケーブル９０が接続されている。
【００２３】
背面カバー６６は、台形部７０の背面を覆うように設けられている。これにより、台形部７０と背面カバー６６が、発光部６４を囲って、収容する。蓋部材６８は、装飾用であって、台形部７０の上面に配置される。
【００２４】
ガイド軸２６は、上下方向に延びる円柱形状に形成されている。ガイド軸２６は、平面視において、図１０に示すように閃光部２４の重心位置Ｇの近傍に配置されている。ガイド軸２６は、主筐体２０の下軸穴３６、台形部７０の下嵌合部８０の底軸孔８４及び上嵌合部８２の上軸孔８６、主筐体２０の上軸穴４０の順に挿入されている。ガイド軸２６の上端部は、主筐体２０の軸支持部３８の上軸穴４０によって支持されている。ガイド軸２６の上端は、背面カバー６６の下端よりも下方に配置されている。ガイド軸２６の上端部は、上面が塞がれている軸支持部３８によって上方への移動が規制されている。ガイド軸２６は、筐体１２の底面まで延伸して当接している。これにより、ガイド軸２６の下端部は、筐体１２によって下方への移動が規制されている。この結果、ガイド軸２６は、筐体１２に対して固定される。尚、ガイド軸２６は、筐体１２の底面近傍まで延伸しててもよい。ガイド軸２６は、閃光部２４の脚部７２に対して、摺動する。これにより、ガイド軸２６は、筐体１２及び主筐体２０によって上下方向の移動が規制されつつ、閃光部２４を上下方向にガイドする。
【００２５】
駆動部２８は、モータ９２と、第１ギヤ部材９４と、第２ギヤ部材９６と、駆動軸９８と、第３ギヤ部材１００と、セクタギヤ部材１０２と、吸収部材の一例である巻きバネ１０４と、回転検出部１０６とを有する。第１ギヤ部材９４と、第２ギヤ部材９６と、駆動軸９８と、第３ギヤ部材１００と、セクタギヤ部材１０２と、巻きバネ１０４とが、モータ９２の駆動力を閃光部２４に伝達する駆動力伝達部の一例であり、これらによって駆動力の伝達経路の少なくとも一部が構成される。
【００２６】
モータ９２は、ガイド軸２６の延伸方向に沿って、閃光部２４を上下方向に移動させる駆動力を供給する。モータ９２は、駆動力を伝達するためのウォームギヤ１１０を有する。モータ９２の一例は、ＤＣモータである。
【００２７】
第１ギヤ部材９４は、主筐体２０のギヤ軸４８に外嵌されている。これにより、第１ギヤ部材９４は、主筐体２０及び後部筐体２２によって回転可能に支持される。第１ギヤ部材９４は、モータ９２のウォームギヤ１１０と噛合している。これにより、第１ギヤ部材９４には、ウォームギヤ１１０を介してモータ９２の駆動力が伝達される。
【００２８】
第２ギヤ部材９６は、主筐体２０の中軸受孔５０と、後部筐体２２の中軸受凹部５８とに嵌合されている。これにより、第２ギヤ部材９６は、主筐体２０及び後部筐体２２によって回転可能に支持される。第２ギヤ部材９６は、第１ギヤ部材９４と噛合している。これにより、第２ギヤ部材９６には、第１ギヤ部材９４から駆動力が伝達される。
【００２９】
駆動軸９８は、主筐体２０の左軸受孔４６と、後部筐体２２の下軸受凹部６０とに嵌合されている。これにより、駆動軸９８は、主筐体２０及び後部筐体２２によって、回転可能に支持される。
【００３０】
第３ギヤ部材１００は、駆動軸９８に対して回転可能に、駆動軸９８の後部に嵌合されている。第３ギヤ部材１００は、第２ギヤ部材９６と噛合している。第３ギヤ部材１００には、第２ギヤ部材９６から駆動力が伝達される。第３ギヤ部材１００の後部には、扇状の被検出部１１２が設けられている。被検出部１１２の半径方向に沿った一辺は収容位置に対応し、被検出部１１２の半径方向に沿った他辺は閃光位置よりも上方の位置に対応する。第３ギヤ部材１００の前部には、前方に延びる突状の後バネ受け部１１４が形成されている。
【００３１】
セクタギヤ部材１０２は、駆動軸９８に対して回転可能に、駆動軸９８の後部に嵌合されている。セクタギヤ部材１０２は、閃光部２４の閃光用筐体６２のラック部７８と噛合している。これにより、セクタギヤ部材１０２は、第３ギヤ部材１００から回転駆動力が伝達されると、ラック部７８に駆動力を伝達する。この結果、閃光部２４が上下方向へと移動する。セクタギヤ部材１０２の後部には、後方に延びる突状の前バネ受け部１１６が形成されている。
【００３２】
巻きバネ１０４は、セクタギヤ部材１０２の後部に嵌合されている。巻きバネ１０４の一端部は、第３ギヤ部材１００の後バネ受け部１１４に当接している。巻きバネ１０４の他端部は、セクタギヤ部材１０２の前バネ受け部１１６に当接している。これにより、巻きバネ１０４は、駆動力の伝達経路の途中に設けられることになる。巻きバネ１０４は、第３ギヤ部材１００の回転駆動力をセクタギヤ部材１０２へと伝達する。また、閃光部２４の上面が押圧される等により、セクタギヤ部材１０２が回転不能状態になると、巻きバネ１０４が、第３ギヤ部材１００の回転駆動力を吸収する。
【００３３】
回転検出部１０６は、発光部１１８と、受光部１２０とを有する。発光部１１８は、第３ギヤ部材１００の被検出部１１２を挟み、受光部１２０と反対側に配置されている。これにより、被検出部１１２が発光部１１８と受光部１２０との間に位置するか否かで閃光部２４の位置が回転検出部１０６によって検出されて、モータ９２のオン／オフが切り替えられる。被検出部１１２が発光部１１８と受光部１２０との間に配置されている間は、モータ９２のオン状態が継続される。被検出部１１２が発光部１１８と受光部１２０との間から抜けると、オン状態のモータ９２がオフに切り替えられる。尚、閃光部２４が閃光位置に達してから、更に、所定角度第３ギヤ部材１００が回転すると、被検出部１１２は発光部１１８と受光部１２０との間から抜ける。従って、閃光部２４が閃光位置に達してからも第３ギヤ部材１００は回転を継続する。閃光部２４が閃光位置に達した以降の第３ギヤ部材１００の回転は、巻きバネ１０４によって吸収される。
【００３４】
電力供給部３０は、保持部１２２と、電源の一例である２本のコンデンサ１２４とを有する。保持部１２２は、コンデンサ１２４と、主筐体２０及び後部筐体２２とを連結する。これにより、コンデンサ１２４が、主筐体２０及び後部筐体２２によって保持される。コンデンサ１２４は、図示しない主電源から供給された電力を蓄電する。そして、コンデンサ１２４は、閃光部２４の発光部６４へと蓄電した電力を瞬間的に供給する。２本のコンデンサ１２４は、前後方向に沿って配列されている。コンデンサ１２４は、主筐体２０の電源収容部４２に収容される。これにより、コンデンサ１２４は、閃光部２４の外側に配置されることになる。また、レンズ鏡筒１７は、ガイド軸２６を挟み、コンデンサ１２４と反対側に配置されることになる。
【００３５】
位置検出部３２は、回転スイッチ１２６を備える。回転スイッチ１２６は、左右方向に平行な回転軸の回りに回動可能に位置検出部３２に支持されている。回転スイッチ１２６は、閃光部２４の被検出突起７６と当接されている。回転スイッチ１２６は、被検出突起７６が上下すると、回動される。この回転スイッチ１２６の回動角度によって、位置検出部３２は、被検出突起７６が設けられた閃光部２４の上下位置を検出する。この検出結果に基づいて、閃光部２４の発光の許可／禁止を判定する。例えば、閃光部２４が、収容位置から上限の閃光位置の近傍まで移動して、回転スイッチ１２６が上方へと回転されると、閃光部２４の発光が許可される許可状態となる。一方、閃光部２４が、閃光位置から少し下がり、回転スイッチ１２６が下方へと回転されると、閃光部２４の発光が禁止される禁止状態となる。尚、閃光部２４が、閃光位置から少し下がった位置から収容位置の間に位置する場合、禁止状態である。
【００３６】
レンズ部１４は、レンズモータ１２８と、レンズ駆動部１３０とを有する。レンズモータ１２８は、レンズ鏡筒１７を前後方向に伸縮させる駆動力を発生させる。レンズモータ１２８は、ガイド軸２６の後方であって、モータ９２の下方に配置されている。レンズ駆動部１３０は、レンズモータ１２８の駆動力をレンズ鏡筒１７に伝達する。レンズ駆動部１３０は、ガイド軸２６の後方であって、モータ９２及びレンズモータ１２８の下方に配置されている。
【００３７】
次に、上述した撮像装置の動作について説明する。図１１は、収容位置での閃光装置の側面図である。図１２は、閃光位置での閃光装置の側面図である。
【００３８】
ユーザは、被写体像をレンズ部１４によって捕らえた状態で、操作部１６を操作して撮像する。撮像する場合に、光が弱い場合またはユーザの操作等によって閃光装置１８が起動されると、まず、コンデンサ１２４への蓄電が開始されるとともに、モータ９２が回転駆動を開始する。モータ９２の回転駆動力は、ウォームギヤ１１０を介して、第１ギヤ部材９４に伝達される。回転駆動力は、第２ギヤ部材９６を介して、第１ギヤ部材９４から第３ギヤ部材１００へと伝達される。第３ギヤ部材１００の被検出部１１２が回転すると、回転検出部１０６の発光部１１８及び受光部１２０の間が遮られて、被検出部１１２の回転が検出される。
【００３９】
回転駆動力は、更に、巻きバネ１０４を介して、第３ギヤ部材１００からセクタギヤ部材１０２へと伝達される。ここで、閃光部２４が上方から押圧されて、セクタギヤ部材１０２が回転できない場合、第３ギヤ部材１００の回転駆動力が、巻きバネ１０４によって吸収される。
【００４０】
セクタギヤ部材１０２に伝達された回転駆動力は、閃光部２４のラック部７８に伝達される。これにより、脚部７２の下嵌合部８０、及び、上嵌合部８２がガイド軸２６にガイドされつつ、図１１に示す収容位置の閃光部２４は、筐体１２に対して、上方へと移動する。上方への移動において、閃光用筐体６２の規制ボス７４が、揺動規制溝４４を摺動するので、閃光部２４の前後方向の揺れが規制される。
【００４１】
ラック部７８への回転駆動力の伝達が継続されることにより、閃光部２４が図１２に示す閃光位置まで上方へ移動すると、上嵌合部８２が軸支持部３８に当接する。これにより、閃光部２４の上方への移動が停止される。この状態では、位置検出部３２の回転スイッチ１２６が、上方まで回転されているので、閃光部２４の発光が許可される許可状態となる。この後、閃光部２４の上方への移動が規制されているので、セクタギヤ部材１０２の回転が規制される。しかし、第３ギヤ部材１００は更に回転を継続するので、第３ギヤ部材１００の回転駆動力は、巻きバネ１０４によって吸収される。第３ギヤ部材１００の被検出部１１２は、回転を継続して、回転検出部１０６の発光部１１８と受光部１２０との間から抜ける。この結果、モータ９２の回転が停止される。
【００４２】
この後、ユーザがレリーズボタンを操作することによって、コンデンサ１２４から発光部６４に電力が供給される。これにより、閃光部２４から閃光が照射されて、画像が撮像される。
【００４３】
閃光部２４が収容位置へと収容される場合、モータ９２が上述した回転方向とは反対方向に回転駆動する。これにより、閃光部２４が、下嵌合部８０の下面が下軸穴３６が形成された領域の上面に当接する収容位置まで下方へと移動して筐体１２の内部に収容される。
【００４４】
上述したように撮像装置１０では、下嵌合部８０の下面と上嵌合部８２の上面との間の距離Ｌが、閃光部２４の移動量ＭＡよりも大きい。これにより、下嵌合部８０の下面と上嵌合部８２の上面との間の距離Ｌを大きくすることができるので、下嵌合部８０または上嵌合部８２の近傍を中心とする閃光部２４の前後方向及び左右方向の揺動を小さくすることができる。このため、閃光部２４の傾斜を小さくすることができるので、閃光部２４の配光精度を向上させて、閃光部２４から照射される閃光を適切な領域に到達させることができる。
【００４５】
撮像装置１０では、下嵌合部８０の下面と上嵌合部８２の上面との間の距離Ｌを大きくすることができるので、ガイド軸２６が１本でも閃光部２４の傾斜を抑制することができる。これにより、閃光装置１８の構造を簡略化することができる。
【００４６】
撮像装置１０では、ガイド軸２６の下端が筐体１２の底面と接しているので、ガイド軸２６を長くすることができる。これにより、下嵌合部８０の下面と上嵌合部８２の上面との間の距離Ｌを、更に、大きくすることができる。
【００４７】
撮像装置１０では、規制ボス７４及び閃光部２４の移動方向と交差する揺動規制溝４４を有する。これにより、規制ボス７４を揺動規制溝４４に嵌合させつつ、閃光部２４を移動させることにより、閃光部２４の揺動を、更に、規制できる。
【００４８】
撮像装置１０では、駆動力を吸収する巻きバネ１０４を有する。これにより、閃光部２４の上部に障害があり、閃光部２４の上方への移動が規制されても、モータ９２からの駆動力を巻きバネ１０４によって吸収できる。この結果、モータ９２の脱調、第１ギヤ部材９４、第２ギヤ部材９６、第３ギヤ部材１００、セクタギヤ部材１０２、及び、ラック部７８の破損等を抑制できる。
【００４９】
撮像装置１０では、駆動力が伝達されるラック部７８をガイド軸２６の延伸方向と平行に構成している。これにより、ラック部７８とガイド軸２６とを近接させることができる。このため、ラック部７８に伝達される駆動力のガイド軸の周りの回転モーメントが小さくなる。この結果、伝達される駆動力の抵抗を小さくすることができるので、小さい駆動力によって閃光部２４を移動させることができる。
【００５０】
撮像装置１０では、ガイド軸２６が発光部６４の重心Ｇの近傍に配置されている。これにより、閃光部２４が押圧されている状況において、ガイド軸を発光部の重心からずらした場合に比べて、ガイド軸２６に対する回転モーメントを小さくすることができる。このため、閃光部２４が下方に円滑に移動するので、閃光装置１８の故障を低減できる。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【００５３】
上述の実施形態では、嵌合部を上嵌合部及び下嵌合部によって構成したが、嵌合部を１個または３個以上の嵌合部によって構成してもよい。３個以上の嵌合部の設ける場合、最上部の嵌合部の上面と最下部の嵌合部の下面との距離が、閃光部の移動量よりも大きければよい。
【００５４】
また、上述の実施形態では、駆動力をモータによって供給したが、アクチュエータ等の他の駆動力発生源を適用してもよい。
【符号の説明】
【００５５】
１０  撮像装置 
１２  筐体 
１４  レンズ部 
１６  操作部 
１７  レンズ鏡筒 
１８  閃光装置 
２０  主筐体 
２２  後部筐体 
２４  閃光部 
２６  ガイド軸 
２８  駆動部 
３０  電力供給部 
３２  位置検出部 
３６  下軸穴 
３８  軸支持部 
４０  上軸穴 
４２  電源収容部 
４４  揺動規制溝 
４６  左軸受孔 
４７  固定ネジ穴 
４８  ギヤ軸 
４９  固定ネジ 
５０  中軸受孔 
５２  モータ保持部 
５６  上軸受凹部 
５８  中軸受凹部 
６０  下軸受凹部 
６２  閃光用筐体 
６４  発光部 
６６  背面カバー 
６８  蓋部材 
７０  台形部 
７１  開口部 
７２  脚部 
７４  規制ボス 
７６  被検出突起 
７８  ラック部 
８０  下嵌合部 
８２  上嵌合部 
８４  底軸孔 
８６  上軸孔 
８８  透過部 
９０  ケーブル 
９２  モータ 
９４  第１ギヤ部材 
９６  第２ギヤ部材 
９８  駆動軸 
１００  第３ギヤ部材 
１０２  セクタギヤ部材 
１０４  巻きバネ 
１０６  回転検出部 
１１０  ウォームギヤ 
１１２  被検出部 
１１４  後バネ受け部 
１１６  前バネ受け部 
１１８  発光部 
１２０  受光部 
１２２  保持部 
１２４  コンデンサ 
１２６  回転スイッチ 
１２８  レンズモータ 
１３０  レンズ駆動部 
【図１】
2012185421.tif 000003
【図２】
2012185421.tif 000004
【図３】
2012185421.tif 000005
【図４】
2012185421.tif 000006
【図５】
2012185421.tif 000007
【図６】
2012185421.tif 000008
【図７】
2012185421.tif 000009
【図８】
2012185421.tif 000010
【図９】
2012185421.tif 000011
【図１０】
2012185421.tif 000012
【図１１】
2012185421.tif 000013
【図１２】
2012185421.tif 000014